(57)【特許請求の範囲】
【請求項１】
ＡＤ変換器によって、入力映像信号をｎビットのデジタル信号である映像信号に変換したとき、
入力される前記映像信号のレベルが１以上（２n−１）1.2/2.2以下の範囲内のレベルにあるか否かによって、該映像信号がＣＲＴガンマ補正処理が行われているか否かを判別して、その判別した結果を判別結果信号として出力するＣＲＴガンマ補正判別手段を有するとともに、
該ＣＲＴガンマ補正判別手段が、前記映像信号のレベルが１以上（２n−１）1.2/2.2以下のレベルにある前記映像信号をＣＲＴガンマ補正処理されていないものと判別するＣＲＴガンマ補正判別手段であることを特徴とするＣＲＴガンマ補正判別システム。
【請求項２】
ＡＤ変換器によって、入力映像信号をｎビットのデジタル信号である映像信号に変換したとき、
該映像信号が有するノイズ成分を検知するためのノイズ成分検知回路と、
該ノイズ成分検知回路により検知されたノイズ成分がＮであるとき、入力される前記映像信号のレベルが（１＋Ｎ）以上（（２n−１）1.2/2.2−Ｎ）以下の範囲内のレベルにあるか否かによって、該映像信号がＣＲＴガンマ補正処理が行われているか否かを判別して、その判別した結果を判別結果信号として出力するＣＲＴガンマ補正判別手段と、を有するとともに、
前記ＣＲＴガンマ補正判別手段が、前記映像信号のレベルが（１＋Ｎ）以上（（２n−１）1.2/2.2−Ｎ）以下のレベルにある前記映像信号をＣＲＴガンマ補正処理されていないものと判別するＣＲＴガンマ補正判別手段であることを特徴とするＣＲＴガンマ補正判別システム。
【請求項３】
前記ノイズ成分検知回路が、ペデスタル期間の信号のレベルの最大値を検出するとともに、該ペデスタル期間の信号のレベルの最大値をノイズ成分とする回路であることを特徴とする請求項２に記載のＣＲＴガンマ補正システム。
【請求項４】
前記映像信号が有する不要直流成分を除去するとともに、該不要直流成分を除去した映像信号を前記ＣＲＴガンマ補正手段に送出する不要直流成分除去回路を有することを特徴とする請求項１に記載のＣＲＴガンマ補正判別システム。
【請求項５】
前記映像信号が有する不要直流成分を除去するとともに、該不要直流成分を除去した映像信号を前記ノイズ成分検知回路に送出する不要直流成分除去回路を有することを特徴とする請求項２又は請求項３に記載のＣＲＴガンマ補正判別システム。
【請求項６】
前記不要直流成分除去回路が、前記ペデスタル期間の信号のレベルの平均値を算出する平均値演算回路と、
該平均値演算回路で算出されたペデスタル期間の信号のレベルの平均値を入力された映像信号から減算するための減算回路と、
から構成されていることを特徴とする請求項４又は請求項５に記載のＣＲＴガンマ補正判別システム。
【請求項７】
前記ＣＲＴガンマ補正判別手段より出力された前記判別結果信号を保持するホールド回路を有するとともに、
映像信号が入力されていない無信号状態のときには、該ホールド回路内の判別結果信号を映像信号がＣＲＴガンマ補正処理が行われたときの映像信号であると判別したときの判別結果信号に初期化することを特徴とする請求項１〜６のいずれかに記載のＣＲＴガンマ補正判別システム。
【発明の詳細な説明】
【０００１】
【発明の属する技術分野】
本発明は、テレビ受像機において、入力映像信号がＣＲＴガンマ補正処理の施されているものか否かを自動的に判別するシステムに関するものである。
【０００２】
【従来の技術】
テレビ受像機のＣＲＴ（陰極線管）の発光特性は、ＣＲＴに入力される映像信号のレベルに比例せず、そのレベルのγ乗に比例する。そのため、従来、送信側が映像信号に１／γ乗するような前記ＣＲＴの発光特性の逆特性処理を行って送信することで、前記テレビ受像機が該映像信号を受信してＣＲＴディスプレイにその映像を再生するときに、受信した映像信号との発光特性が比例関係を持つようにして、映像の表示時における階調の線形性が保たれている。以下、上記のような映像信号に１／γ乗するといったＣＲＴの発光特性の逆特性処理を施すことを、ＣＲＴガンマ補正処理と呼ぶ。
【０００３】
今日、ディスプレイの進化がめざましく、ＣＲＴディスプレイ以外にも大画面、薄型、そして高精細なディスプレイが数々登場している。これらのディスプレイの発光特性はＣＲＴディスプレイの発光特性と異なり、線形性を有している。従って、これらのディスプレイでは映像信号に施されているＣＲＴガンマ補正処理は不必要であり、もし、ＣＲＴガンマ補正処理が施された信号をこのようなディスプレイで再生したとき、中間調レベルが本来の階調より大きく浮いてしまいコントラストを大きく損なう原因となる。そのため、受像機側で得た映像信号にＣＲＴガンマ特性を与えるようなＣＲＴガンマ補正処理と逆の処理を行うことで、ＣＲＴガンマ補正処理が施される前の画像信号に戻すためのを処理が行われている。以下、このようなＣＲＴガンマ補正処理を施された画像信号をＣＲＴガンマ補正処理が施される前の画像信号に戻す処理をＣＲＴガンマ補正戻し処理と呼ぶ。
【０００４】
また、最近、狭い周波数帯域で多くの情報を送るために、その送信する映像信号を圧縮するといった伝送方式が盛んに用いられるようになった。このような伝送方式では、エンコード処理やデコード処理が複雑であるため、送信側でＣＲＴガンマ補正処理を行わずにリニアな特性の映像信号を送信し、受像機側で受信した映像信号をデコード処理した後にＣＲＴガンマ補正処理を行っている。
【０００５】
このとき、前記映像を再生するディスプレイがＣＲＴディスプレイ以外の平面ディスプレイである場合には、ＣＲＴガンマ補正処理が不必要であるので、該ＣＲＴガンマ補正処理を省略することができる。また、前記映像信号がＣＲＴガンマ補正処理が施されていない信号であるので、ＣＲＴガンマ補正戻し処理も不要である。
【０００６】
【発明が解決しようとする課題】
しかしながら、送信されてくる映像信号はＣＲＴガンマ補正処理が施されていない信号に統一されていないので、ＣＲＴガンマ補正処理が施された信号と施されていない信号が入力されたとき、それぞれの信号に応じて、ＣＲＴガンマ補正戻し処理のＯＮ・ＯＦＦを手動で切り替えなければならない。
【０００７】
本発明は、入力された映像信号がＣＲＴガンマ補正処理が行われたものであるか否かを自動的に判別することができるＣＲＴガンマ補正判別システムを提供することを目的とする。
【０００８】
本発明は、前記映像信号にノイズが重畳している場合にも正しく動作することができるＣＲＴガンマ補正判別システムを提供することを目的とする。
【０００９】
本発明は、前記映像信号に不要直流成分が重畳している場合にも正しく動作することができるＣＲＴガンマ補正判別システムを提供することを目的とする。
【００１０】
【課題を解決するための手段】
本発明におけるＣＲＴガンマ補正判別システムは、入力される映像信号が、ＣＲＴガンマ補正処理を施すことによって生じ得なくなるレベルの範囲である特定の範囲内のレベルにあるか否かによって、該映像信号がＣＲＴガンマ補正処理が行われているか否かを判別して、その判別した結果を判別結果信号として出力するＣＲＴガンマ補正判別手段を有することを特徴とする。
【００１１】
このようなＣＲＴガンマ補正判別システムにおいて、映像信号が入力されたとき、該映像信号をＡＤ変換してｎビットのデジタル信号としてＲＯＭに入力し、該ＲＯＭ内に予め記憶しているテーブルを用いて入力されるデジタル信号に対応した判別結果信号を出力する。
【００１２】
上記構成のＣＲＴガンマ補正判別システムは、ＡＤ変換器によって、入力映像信号をｎビットのデジタル信号に変換したとき、前記特定の範囲内のレベルが１以上（２n−１）1.2/2.2以下であるとともに、前記ＣＲＴガンマ補正判別手段が、前記映像信号のレベルが該特定の範囲内のレベルにある前記映像信号をＣＲＴガンマ補正処理されていないものと判別するＣＲＴガンマ補正判別手段であることを特徴とする。
【００１３】
このようなＣＲＴガンマ補正判別システムにおいて、映像信号が入力されたとき、該映像信号をＡＤ変換してｎビットのデジタル信号としてＲＯＭに入力する。また、該映像信号がＣＲＴガンマ補正処理が施されている映像信号であるとき、１以上（２n−１）1.2/2.2以下のレベルのデジタル信号を持つ映像信号がないので、前記ＲＯＭ内に予め１以上（２n−１）1.2/2.2以下のレベルのデジタル信号が入力されたときＨｉｇｈの判別結果信号を出力するようなテーブルを記憶することで、入力されるデジタル信号に対応した判別結果信号を出力して映像信号がＣＲＴガンマ補正処理が施されているか否かを判別することができる。
【００１４】
上記構成のＣＲＴガンマ補正判別システムは、前記映像信号が有するノイズ成分を検知するためのノイズ成分検知回路を有し、該ノイズ成分検知回路により検知されたノイズ成分がＮであるとき、前記特定の範囲内のレベルが（１＋Ｎ）以上（（２n−１）1.2/2.2−Ｎ）以下であるとともに、前記ＣＲＴガンマ補正判別手段が、前記映像信号のレベルが該特定の範囲内のレベルにある前記映像信号をＣＲＴガンマ補正処理されていないものと判別するＣＲＴガンマ補正判別手段であることを特徴とする。
【００１５】
このようなＣＲＴガンマ補正判別システムにおいて、ノイズ成分がＮであるような映像信号が入力されたとき、該映像信号をＡＤ変換したｎビットのデジタル信号をノイズ成分検知回路通すことによって前記ノイズ成分を検知した後、前記デジタル信号及び検知した結果を２つのコンパレータに入力する。この２つのコンパレータがレベルが（１＋Ｎ）以上のときＨｉｇｈを出力する第１コンパレータとレベルが（（２n−１）1.2/2.2−Ｎ）以下のときＨｉｇｈを出力する第２コンパレータであり、且つこの２つのコンパレータの出力がＡＮＤ回路に接続されることによって、入力される映像信号においてノイズ成分を除去したＣＲＴガンマ補正判別処理を行うことができる。
【００１６】
上記構成のＣＲＴガンマ補正判別システムは、前記ノイズ成分検知回路が、ペデスタル期間の信号のレベルの最大値を検出するとともに、該ペデスタル期間の信号のレベルの最大値をノイズ成分とする回路であることを特徴とする。
【００１７】
上記構成のＣＲＴガンマ補正判別システムは、前記映像信号が有する不要直流成分を除去するとともに、該不要直流成分を除去した映像信号を前記ＣＲＴガンマ補正手段に送出する不要直流成分除去回路を有することを特徴とする。
【００１８】
このような構成のＣＲＴガンマ補正判別システムにおいて、入力された映像信号をＡＤ変換したｎビットのデジタル信号を不要直流成分除去回路に通すことによって不要直流成分を除去した後、その不要直流成分が除去されたデジタル信号をＲＯＭに入力する。また、この映像信号がＣＲＴガンマ補正処理が施されている映像信号であるとき、前記ＲＯＭ内に予め１以上（２n−１）1.2/2.2以下のデジタルデータが入力されたときＨｉｇｈの判別結果信号を出力するようなテーブルを記憶することで、入力されるデジタルデータに対応した判別結果信号を出力して映像信号がＣＲＴガンマ補正処理が施されているか否かを判別することができる。
【００１９】
上記構成のＣＲＴガンマ補正判別システムは、前記映像信号が有する不要直流成分を除去するとともに、該不要直流成分を除去した映像信号を前記ノイズ成分検知回路に送出する不要直流成分除去回路を有することを特徴とする。
【００２０】
このようなＣＲＴガンマ補正判別システムにおいて、不要直流成分を除いたときのノイズ成分がＮであるような映像信号が入力されたとき、まず、該映像信号をＡＤ変換したｎビットのデジタル信号を不要直流成分除去回路通すことによって不要直流成分を除去し、更に該ノイズ成分をノイズ成分検知回路によって検知した後、前記デジタル信号及び検知した結果を２つのコンパレータに入力する。この２つのコンパレータがレベルが（１＋Ｎ）以上のときＨｉｇｈを出力する第１コンパレータとレベルが（（２n−１）1.2/2.2−Ｎ）以下のときＨｉｇｈを出力する第２コンパレータであり、且つこの２つのコンパレータの出力がＡＮＤ回路に接続されることによって、入力される映像信号においてノイズ成分を除去したＣＲＴガンマ補正判別処理を行うことができる。
【００２１】
上記構成のＣＲＴガンマ補正判別システムは、前記不要直流成分除去回路が、前記ペデスタル期間の信号のレベルの平均値を算出する平均値演算回路と、該平均値演算回路で算出されたペデスタル期間の信号のレベルの平均値を入力された映像信号から減算するための減算回路とから構成されていることを特徴とする。
【００２２】
上記構成のＣＲＴガンマ補正判別システムは、前記ＣＲＴガンマ補正判別手段より出力された前記判別結果信号を保持するホールド回路を有するとともに、映像信号が入力されていない無信号状態のときには、該ホールド回路内の判別結果信号を映像信号がＣＲＴガンマ補正処理が行われたときの映像信号であると判別したときの判別結果信号に初期化することを特徴とする。
【００２３】
【発明の実施の形態】
本発明の第１の実施形態について、図面を参照にして説明する。図１は、本実施形態で使用するＣＲＴガンマ補正判別回路の構成を示すブロック図である。図１０は、０〜２５５までの量子化された信号のレベルｘと、このレベルｘの信号をさらにＣＲＴガンマ補正処理及び量子化した時の信号のレベルｙとの関係を示した表である。また、ｘとｙは次の（１）式のような関係を持つ。
【００２４】
【数１】
0003992379.tif 000002
【００２５】
本実施形態で使用するＣＲＴガンマ補正判別回路は、映像信号が入力される入力端子１と、該映像信号を８ビットのデジタルの映像信号にＡＤ変換するＡＤ変換回路１８と、該ＡＤ変換回路１８の出力から映像信号がガンマ補正処理されたものであるか否かを検出するＲＯＭ２と、該ＲＯＭ２からの１ビットの判別結果信号を出力する出力端子３とから構成されている。ＲＯＭ２は、入力端子１より入力された映像信号のレベルに応じた出力を出力端子３より出力するための出力用のテーブルを記憶している。
【００２６】
ところで、図１０のように、送信側において、ガンマ補正処理が施されていない映像信号のレベルｘが０のとき、該映像信号をＣＲＴガンマ補正処理を施した後に量子化すると、その信号のレベルｙは０となる。また、同様に送信側において、ＣＲＴガンマ補正処理が施されていない映像信号のレベルｘが１のとき、該映像信号をＣＲＴガンマ補正処理を施した後に量子化すると、その信号のレベルｙは２１となる。従って、ＣＲＴガンマ補正処理を施した映像信号にＡＤ変換を行ったとき、その映像信号のレベルは１以上２０以下の値を取りえない。
【００２７】
よって、図１１のテーブル例のように、ＲＯＭ２に入力されるデジタルデータである前記レベルが１以上２０以下であるときはＨｉｇｈを出力し、それ以外の０又は２１以上２５５以下であるときはＬｏｗを出力するようにＲＯＭ２に記憶するテーブルを設定する。このように設定することによって、前記映像信号のレベルが１以上２０以下の範囲にあるような映像信号がＡＤ変換された後に入力端子１に入力されたか否かで、ＣＲＴガンマ補正処理された信号であるか否かをＲＯＭ２内に記憶したテーブルと比較することによって判別して、その判別結果信号として１ビットの信号を出力端子３より出力する。
【００２８】
本発明の第２の実施形態について、図面を参照にして説明する。図２は、本実施形態で使用するＣＲＴガンマ補正判別回路の構成を示すブロック図である。図３は、映像信号の構成を示す図である。又、図４は、図２内の不要直流成分検出・補正回路４の内部の構成を示すブロック図である。
【００２９】
本実施形態で使用するＣＲＴガンマ補正判別回路は、前記映像信号が入力される入力端子１と、該映像信号を８ビットのデジタル信号となる映像信号にＡＤ変換するＡＤ変換回路１８と、該ＡＤ変換回路１８に接続された不要直流成分検出・補正回路４と、該不要直流成分検出・補正回路４によって不要直流成分が補正された映像信号が入力されるＲＯＭ２と、該ＲＯＭ２からの１ビットの判別結果信号を出力する出力端子３とから構成されている。また、前記不要直流成分検出・補正回路４は、不要直流成分の検出を行う平均値演算回路５と、該平均値演算回路５によって算出した不要直流成分を元の映像信号から減算することによって該映像信号を補正する減算回路６とを有している。
【００３０】
ところで、入力される映像信号は、図３のように水平同期信号期間とペデスタル期間と映像信号期間の３期間の信号によって成り立っている。このような映像信号に不要な直流成分が重畳しているとき、本来そのレベルが０レベルであるペデスタル期間において、その直流成分のレベルだけレベルが変化した信号が現れる。よって、このペデスタル期間の信号のレベルを平均することによって、不要となる直流成分を検出することができる。
【００３１】
上記のような考え方を基本として、図４に示した不要直流成分検出・補正回路４について説明する。ＡＤ変換回路１８によって８ビットのデジタル信号に変換された映像信号が平均値演算回路５に入力される。そして、この平均値演算回路５において、ペデスタル期間中の信号列の平均値演算が行われる。
【００３２】
上記のようにして、平均値演算回路５にて、ペデスタル期間中の信号の平均値演算を行って該ペデスタル期間の直後に続く１水平走査期間中の映像信号の不要直流成分として算出した後、減算回路６で入力端子１に入力される前記映像信号から不要直流成分を減算して映像信号期間中の補正を行う。該減算回路６より、不要直流成分の補正が施された映像信号が出力されるとともに、該映像信号がＲＯＭ２に入力される。映像信号がＲＯＭ２に入力した後の動作は、第１の実施形態と同様の動作であるので、詳細な説明は省略する。
【００３３】
本発明の第３の実施形態について、図面を参照にして説明する。図５は、本実施形態で使用するＣＲＴガンマ補正判別回路の構成を示すブロック図である。本実施形態で使用するＣＲＴガンマ補正判別回路は、前記映像信号が入力される入力端子１と、該映像信号を８ビットのデジタル信号となる映像信号にＡＤ変換するＡＤ変換回路１８と、前記映像信号のペデスタル期間のレベルの最大値を検出する最大値検出回路７と、前記映像信号が入力されるとともに前記最大値検出回路７と接続するコンパレータ回路８，９と、該コンパレータ回路８，９からの信号を論理積演算を行うためのＡＮＤ回路１０と、このＡＮＤ回路１０からの出力を判別結果信号として出力する出力端子３とから構成されている。
【００３４】
このような構成のＣＲＴガンマ補正判別回路において、ＡＤ変換回路１８でＡＤ変換された８ビットのデジタル信号である映像信号が、コンパレータ８，９及び最大値検出回路７に入力される。最大値検出回路７は、ペデスタル期間中における入力映像信号の最大値ＮＭを求め、この最大値をペデスタル期間の直後に続く１水平走査期間の最大ノイズ量として、コンパレータ８，９に与える。
【００３５】
コンパレータ８では、入力される映像信号と（１＋ＮＭ）とを比較して、映像信号が（１＋ＮＭ）以上の場合にはＨｉｇｈ、逆に（１＋ＮＭ）未満の場合にはＬｏｗを出力する。また、コンパレータ９では、前記映像信号と（２０−ＮＭ）を比較して、映像信号が（２０−ＮＭ）以下の場合にはＨｉｇｈ、逆に（２０−ＮＭ）より大きい場合にはＬｏｗを出力する。ＡＮＤ回路１０は、コンパレータ８，９から入力された信号が共にＨｉｇｈのときＨｉｇｈを出力し、コンパレータ８，９から入力された信号のどちらか一方がＬｏｗのときＬｏｗを出力する。
【００３６】
今、上記のようなＣＲＴガンマ補正判別回路に、ノイズが重畳した映像信号が入力され、前記最大値検出回路７でペデスタル期間信号のレベルの最大値が２と検出されたとき、映像信号期間においてそのレベルが３以上１８以下のとき、前記映像信号がＣＲＴガンマ補正処理が施されていないと判別され、Ｈｉｇｈが出力される。
【００３７】
上記のように入力された映像信号にノイズ量２のノイズが重畳しているとき、該映像信号のレベルは、本来送出されるレベルに±２のレベルが付加されたレベルとなる。故に、ノイズが重畳していないときと同様に、その映像信号が１以上２０以下の間でＣＲＴガンマ補正処理が施されていないと判別したとき、本来そのレベルが０として送出された映像信号にノイズが重畳したため１又は２のレベルの映像信号として入力されることがあるので、ＣＲＴガンマ補正処理が行われた映像信号を該処理が施されていない映像信号として誤って判断したことになる。このことは、レベルが２０のときも、同様のことがいえる。よって、本実施形態では、ノイズ量がＮＭを判断したとき、（１＋ＮＭ）以上（２０−ＮＭ）以下にレベルがある映像信号を、ＣＲＴガンマ補正処理が施されていない映像信号と判別することになる。
【００３８】
本発明の第４の実施形態について、図面を参照にして説明する。図６は、本実施形態に使用するＣＲＴガンマ補正判別回路の構成を示すブロック図である。本実施形態で使用するＣＲＴガンマ補正判別回路は、前記映像信号が入力される入力端子１と、該映像信号を８ビットのデジタル信号となる映像信号にＡＤ変換するＡＤ変換回路１８と、該ＡＤ変換回路１８に接続する不要直流成分検出・補正回路４と、該不要直流成分検出・補正回路４と接続するとともにペデスタル期間のレベルの最大値を検出する最大値検出回路７と、不要直流成分が補正された映像信号が入力されるとともに前記最大値検出回路７と接続するコンパレータ回路８，９と、該コンパレータ回路８，９からの信号を論理積演算を行うためのＡＮＤ回路１０と、このＡＮＤ回路１０からの出力を判別結果信号として出力する出力端子３とから構成されている。
【００３９】
このような構成のＣＲＴガンマ補正判別回路において、不要直流成分検出・補正回路４は、第２の実施形態で使用する不要直流成分検出・補正回路４と同様、図４に示す平均値演算回路５と加算回路６から構成されたものである。この回路の詳細な動作については、第２の実施形態で上述した動作と同様なので、説明は省略する。該不要直流成分検出・補正回路４を通すことによって、不要直流成分が補正された映像信号が出力され、該映像信号がコンパレータ回路８，９及び最大値検出回路７に送出される。
【００４０】
このように不要直流成分が補正された映像信号が不要直流成分検出・補正回路４よりコンパレータ回路８，９及び最大値検出回路７に送出された後の動作については、第３の実施形態で用いたコンパレータ回路８，９及び最大値検出回路７で行われる動作と同様の動作であるので、詳細な説明は省略する。即ち、ノイズ量ＮＭのノイズが確認されたとすると、前記映像信号のレベルが（１＋ＮＭ）以上（２０−ＮＭ）以下であるときには該映像信号にＣＲＴガンマ補正処理が施されていないものと判別し、ＡＮＤ回路１０よりＨｉｇｈを出力する。
【００４１】
本発明の第５の実施形態について、図面を参照にして説明する。図７は、本実施形態に使用するＣＲＴガンマ補正判別システムの構成を示すブロック図である。図８は、該ＣＲＴガンマ補正判別システムの動作を閉めすフローチャートである。本実施形態で使用するＣＲＴガンマ補正判別システムは、前記映像信号が入力される入力端子１と、該映像信号を８ビットのデジタル信号となる映像信号にＡＤ変換するＡＤ変換回路１８と、該ＡＤ変換回路１８に前記映像信号が入力される入力端子１と、該入力端子１に入力された該映像信号がＣＲＴガンマ補正処理が施されているか否かを判別するＣＲＴガンマ補正判別回路１１と、入力端子１に接続するとともに前記映像信号が入力端子１に入力されたか否かを識別する映像入力識別回路１３と、前記ＣＲＴガンマ補正判別回路１１より判別結果信号が送出されるとともに前記映像入力識別回路１３より映像入力識別信号が送出されるホールド回路１２と、該ホールド回路１２に保持される判別結果信号を出力する出力端子３とから構成されている。
【００４２】
このようなＣＲＴガンマ補正判別システムにおいて、ＣＲＴガンマ補正判別回路１１は、第１〜第４のいずれかの実施形態で説明した動作を行うことによって、入力端子１に入力された前記映像信号がＣＲＴガンマ補正処理が施されているか否かを判別し、その結果に応じた信号をホールド回路１２に送出する。該ホールド回路１２には、映像入力識別回路１３から送出される前記映像信号が入力されたか否かを示す映像入力識別信号が入力される。
【００４３】
以下に、ホールド回路１２の動作について、図８に示すフローチャートを用いて説明する。まず、入力端子１に映像信号が入力されたとき、映像入力識別回路１３より映像信号が入力されたことを示すＨｉｇｈの映像入力識別信号がホールド回路１２に送出されると、ステップ３に移行し、逆に前記映像入力識別信号がＬｏｗのときはステップ２に移行する（ＳＴＥＰ１）。ステップ２では、前記映像信号がＣＲＴガンマ補正処理が施されていることを示す信号としてＬｏｗが与えられた状態で、ホールド回路１２が初期化される。ステップ３では、ＣＲＴガンマ判別回路１１から送出される判別結果信号がＨｉｇｈのときは、ステップ４に移行してホールド回路１２に保持されているＬｏｗの信号を前記映像信号がＣＲＴガンマ補正処理が施されていないことを示すＨｉｇｈの信号に置き換えて保持する。逆に、判別結果信号がＬｏｗのときは、ステップ１に戻る。
【００４４】
また、ＣＲＴガンマ補正処理が施されていない映像信号において、１〜２０のレベルの映像信号は、入力される頻度が比較的高い。このような特性を生かして、１〜２０のレベルの該映像信号が入力されたときに、一度ホールド回路１２にＨｉｇｈの信号が入力されると１〜２０以外のレベルの信号が入力されても、該映像信号の入力が終了するまで該ＣＲＴガンマ補正判別システムよりＬｏｗを出力することがなくなる。
【００４５】
本発明の第６の実施形態について、図面を参照にして説明する。図９は、本実施形態で使用するＣＲＴガンマ補正判別システムを使用した応用システムである映像信号処理装置１６の構成を示すブロック図である。このような映像信号処理装置１６は、ＣＲＴガンマ補正処理を施した映像信号を送信する信号源１４又はＣＲＴガンマ補正処理を施していない映像信号を送信する信号源１５から送信される映像信号が入力される入力端子１７と、該入力端子１７に入力された映像信号をアナログ信号から８ビットのデジタル信号に変換するＡＤ変換回路１８とから構成されている。
【００４６】
また、前記映像信号処理装置１６は、信号源１４から送信された映像信号が入力された時に動作をする映像信号処理回路１９と、信号源１５から送信された映像信号が入力された時に動作をする映像信号処理回路２０と、ＡＤ変換回路１８から送出される映像信号がＣＲＴガンマ補正処理が施されているか否かを判別するＣＲＴガンマ補正判別回路１１と、該ＣＲＴガンマ補正判別回路１１から送出される判別結果信号を保持するホールド回路１２と、映像信号が入力されたか否かを識別した結果をホールド回路１２に送出する映像入力識別回路１３と、該ホールド回路１２内の信号によって接点を切り替えるマルチプレクサ２１と、マルチプレクサからの出力信号を輝度信号や色信号に変換する映像信号再生回路２２とを有する。
【００４７】
このような映像信号装置１６から出力される輝度信号及び色信号によって、液晶ディスプレイなどの平面型のディスプレイ上に映像が再生される。今、該映像信号処理装置１６の入力端子１７に、信号源１４からＣＲＴガンマ補正処理された映像信号が入力されたとき、該映像信号がＡＤ変換回路１８によってデジタル信号に変換され、映像信号処理回路１９，２０、ＣＲＴガンマ補正判別回路１１及び映像信号入力識別回路１３に該デジタル信号が入力される。
【００４８】
ＣＲＴガンマ補正判別回路１１、ホールド回路１２及び映像信号入力識別回路１３が、第５の実施形態で示した図８のフローチャートに即した動作を行うことによって、ホールド回路１２に、ＣＲＴガンマ補正処理された映像信号が入力されたことを示すＬｏｗの判別結果信号が保持される。このような判別結果信号がマルチプレクサ２１に出力されると、接点ａ側に短絡することによって映像信号処理回路１９と映像信号再生回路２２が接続される。この映像信号処理回路１９では、前記映像信号にＣＲＴガンマ補正戻し処理が施される。
【００４９】
逆に、前記映像信号処理装置１６の入力端子１７に、信号源１５からＣＲＴガンマ補正処理されていない映像信号が入力されたとき、該映像信号がＡＤ変換回路１８によってデジタル信号に変換され、映像信号処理回路１９，２０、ＣＲＴガンマ補正判別回路１１及び映像信号入力識別回路１３に該デジタル信号が入力される。
【００５０】
このとき、ＣＲＴガンマ補正判別回路１１、ホールド回路１２及び映像信号入力識別回路１３が、第５の実施形態で示した図８のフローチャートに即した動作を行うことによって、ホールド回路１２に、ＣＲＴガンマ補正処理されていない映像信号が入力されたことを示すＨｉｇｈの判別結果信号が保持される。このような判別結果信号がマルチプレクサ２１に出力されると、接点ｂ側に短絡することによって映像信号処理回路２０と映像信号再生回路２２が接続される。この映像信号処理回路２０では、前記映像信号を伸長するような動作が行われる。
【００５１】
尚、本実施形態において、デジタルの映像信号が入力される映像信号処理装置を例にとって、説明したが、アナログの映像信号が入力される映像信号装置に上記のようなＣＲＴガンマ補正判別システムを用いても良い。
【００５２】
【発明の効果】
本発明におけるＣＲＴガンマ補正判別システムによると、入力される映像信号をＡＤ変換器によって変換したデジタル信号のレベルによって、該映像信号がＣＲＴガンマ補正処理が施されているか否かを自動的に簡単に判別することができるとともに、このようにして判別することによって、その映像信号に応じてＣＲＴガンマ補正戻し処理を行うか否かを自動的に定めることができる。
【００５３】
本発明におけるＣＲＴガンマ補正判別システムによると、ＣＲＴガンマ補正処理が施されている映像信号をＡＤ変換器で変換したデジタル信号は、１以上（２n−１）1.2/2.2以下の範囲のレベルのデジタルデータを持たないので、この範囲内のレベルのデジタル信号が入力された時の映像信号をＣＲＴガンマ補正処理されていないものと簡単に判別することができる。
【００５４】
本発明におけるＣＲＴガンマ補正判別システムによると、ノイズ成分を検知した後に、このノイズ成分を考慮に入れて、入力された映像信号がＣＲＴガンマ補正処理が施されたか否かを判別するので、より正確に判別することができる。
【００５５】
本発明におけるＣＲＴガンマ補正判別システムによると、入力される映像信号のうちその送信時のレベルが０であるペデスタル期間の信号から、その信号のレベルの最大値を検出して、該最大値をノイズ成分とすることによって、簡単な構成でノイズに対して正確にＣＲＴガンマ補正の有無の判別を行うことができる。
【００５６】
本発明におけるＣＲＴガンマ補正判別システムによると、入力される映像信号に重畳した不要直流成分を該映像信号から除去することによって、該映像信号がＣＲＴガンマ補正処理が施されたか否かをより正確に判別することができる。
【００５７】
本発明におけるＣＲＴガンマ補正判別システムによると、不要直流成分を除去するとともに、ノイズ成分を考慮に入れて、入力された映像信号がＣＲＴガンマ補正処理が施されたか否かを判別するので、不要直流成分除去回路とノイズ成分検知回路とを別々に使用する時よりも更に正確に判別することができる。
【００５８】
本発明におけるＣＲＴガンマ補正判別システムによると、入力される映像信号のうちその送信時のレベルが０であるペデスタル期間の信号から、その信号のレベルの平均値して、該平均値を不要直流成分とすることによって、より簡単に不要直流成分を検知することができるとともに、減算回路を使用することによって、前記映像信号からこの検知した不要直流成分を減算することによって、簡単な構成で不要直流成分に対して正確にＣＲＴガンマ補正の有無を判別することができる。
【００５９】
本発明におけるＣＲＴガンマ補正判別システムによると、映像信号が入力されている間に、１度でもＣＲＴガンマ補正処理されていない映像信号が入力されたと判別したとき、この判別結果信号を該映像信号が入力されている間ホールド回路に記憶することによって、入力される映像信号のレベルに左右されることなく一定の判別結果を出力することができる。
【図面の簡単な説明】
【図１】第１の実施形態で使用するＣＲＴガンマ補正判別システムの構成を示すブロック図。
【図２】第２の実施形態で使用するＣＲＴガンマ補正判別システムの構成を示すブロック図。
【図３】映像信号の構成を示した図。
【図４】不要直流成分検出・補正回路の内部を示したブロック図。
【図５】第３の実施形態で使用するＣＲＴガンマ補正判別システムの構成を示すブロック図。
【図６】第４の実施形態で使用するＣＲＴガンマ補正判別システムの構成を示すブロック図。
【図７】第５の実施形態で使用するＣＲＴガンマ補正判別システムの構成を示すブロック図。
【図８】第５の実施形態で使用するＣＲＴガンマ補正判別システムの動作を示すフローチャート。
【図９】第６の実施形態で使用するＣＲＴガンマ補正判別システムの応用システムの構成を示すブロック図。
【図１０】量子化された信号のレベルｘと、ＣＲＴガンマ補正処理及び量子化した時の信号のレベルｙとの関係を示した表。
【図１１】ＲＯＭ内に記憶するテーブルを表した表。
【符号の説明】
１    入力端子
２    ＲＯＭ
３    出力端子
４    不要直流成分検出・補正回路
５    平均値演算回路
６    減算回路
７    最大値検出回路
８，９    コンパレータ回路
１０    ＡＮＤ回路
１１    ＣＲＴガンマ補正判別回路
１２    ホールド回路
１３    映像入力識別回路
１４，１５    信号源
１６    映像信号処理装置
１７    入力端子
１８    ＡＤ変換回路
１９，２０    映像信号処理回路
２１    マルチプレクサ
２２    映像信号再生回路
【図１】
0003992379.tif 000003
【図２】
0003992379.tif 000004
【図３】
0003992379.tif 000005
【図４】
0003992379.tif 000006
【図５】
0003992379.tif 000007
【図６】
0003992379.tif 000008
【図７】
0003992379.tif 000009
【図８】
0003992379.tif 000010
【図９】
0003992379.tif 000011
【図１０】
0003992379.tif 000012
【図１１】
0003992379.tif 000013